(57)【特許請求の範囲】
【請求項１】
一端部に開口を有するボトル本体と、
前記ボトル本体の前記一端部に対して着脱可能に装着されて前記開口を密閉するキャップ部と、
を備えるボトル容器であって、
前記ボトル本体は、
外側層と、
前記外側層に対して剥離可能に積層されて内容物を収容する内側層と、
を有する積層ボトルであり、
前記キャップ部は、
ユーザーの吐出操作により前記内容物を吐出するポンプ部と、
前記ポンプ部とともに前記開口を閉塞する閉塞部と、
前記ボトル本体の前記一端部の周囲に配置された覆い部と、
を有し、
当該ボトル容器は、
前記キャップ部が前記ボトル本体に対して装着されたときに気密状態を保ち得るように構成されている第１気密部と、
前記キャップ部が前記ボトル本体に対して装着されたときであって且つ前記第１気密部が気密状態となっていないときにも、気密状態を保ち得るように構成されている第２気密部とを有し、
前記第１気密部は、前記ボトル本体の前記一端部と、前記キャップ部の閉塞部とにより構成され、
前記第２気密部は、前記ボトル本体の前記一端部の外周面と、前記覆い部の内周面とにより構成され、且つ前記第１気密部よりも前記ボトル本体の他端部側において前記ボトル本体の前記内側層の内部領域と前記キャップ部との間の気密を保つボトル容器。
【請求項２】
前記第２気密部は、前記覆い部の前記内周面と、前記ボトル本体の前記一端部の前記外周面と、の何れか一方に形成された環状のリブを含む請求項１に記載のボトル容器。
【請求項３】
前記覆い部は、
前記ボトル本体の前記一端部に装着される第１筒状部と、
前記第１筒状部よりも大径に形成され、前記第１筒状部の周囲に配置された第２筒状部と、
を有する多重筒である請求項１又は２に記載のボトル容器。
【請求項４】
前記第２気密部を構成する前記覆い部の前記内周面は、前記第１筒状部の内周面である請求項３に記載のボトル容器。
【請求項５】
前記第２気密部を構成する前記覆い部の前記内周面は、前記第２筒状部の内周面である請求項３に記載のボトル容器。
【請求項６】
前記第２筒状部は、前記第１筒状部よりも前記ボトル本体の前記他端部側に延出した延出部を有し、
前記第２気密部を構成する前記覆い部の前記内周面は、前記延出部の内周面である請求項５に記載のボトル容器。
【請求項７】
前記第２気密部を構成する前記ボトル本体の前記一端部の前記外周面は、前記ボトル本体の前記他端部側に向けて拡径するテーパー状に形成されている請求項１乃至６の何れか一項に記載のボトル容器。
【請求項８】
前記覆い部は、前記ボトル本体の前記一端部の外周面に形成された雄ねじ部に対して螺合する雌ねじ部を有し、
前記雌ねじ部が前記雄ねじ部に対して螺合することにより、前記キャップ部が前記ボトル本体に対して装着される請求項１乃至７の何れか一項に記載のボトル容器。
【請求項９】
前記覆い部の前記内周面は、
筒状に形成された基準面と、
前記基準面に形成された、前記雌ねじ部のねじ山と、
前記基準面に形成され、前記第２気密部を構成する環状のリブと、
を含み、
前記基準面からの前記リブの突出長は、当該基準面からの前記雌ねじ部のねじ山の突出長よりも小さい請求項８に記載のボトル容器。
【請求項１０】
前記ボトル本体は、
前記開口を有するとともに前記キャップ部が装着される口頸部と、
前記口頸部よりも前記他端部側に配置されているとともに、前記雄ねじ部のねじ山と同径であるか又は当該ねじ山よりも大径に形成された外周面を有する中間部と、
前記中間部よりも前記他端部側に配置されているとともに、前記口頸部の軸心に対して直交する断面積が前記中間部よりも大きい胴部と、
を備え、
前記第２気密部を構成する前記ボトル本体の前記一端部の前記外周面は、前記中間部の外周面である請求項９に記載のボトル容器。
【請求項１１】
請求項１乃至１０の何れか一項に記載のボトル容器と、
前記内側層の内部領域に収容された内容物と、
を備えるボトル容器詰め商品。
【発明の詳細な説明】
【技術分野】
【０００１】
本発明は、ボトル容器及びボトル容器詰め商品に関する。
【背景技術】
【０００２】
いわゆるデラミ（デラミネーション）ボトルと呼ばれるボトル容器は、内容物を収容するボトル本体が、外側層及び内側層の少なくとも二層からなる積層ボトルとなっている（例えば、特許文献１）。
【０００３】
この種のボトル容器は、内側層の内部領域に内容物を収容した状態で、ボトル本体に対して気密状態で装着されたキャップ部を有する。キャップ部は、ポンプ部等を有しており、内容物を吐出可能となっている。
【０００４】
内容物を吐出することにより内側層の内部領域が減圧すると、当該内部領域が縮小するとともに内側層が外側層から剥離し、内側層と外側層との層間に外気が流入するようになっている。これにより、粘度が高い内容物であっても極力最後まで使い切りやすくなるといった目的や、外側層の外形を維持しつつも内容物と外気との接触を抑制することができるといった目的を達成することができる。
【先行技術文献】
【特許文献】
【０００５】
【特許文献１】特開平４−３３９７５９号公報
【発明の概要】
【発明が解決しようとする課題】
【０００６】
ところで、この種のボトル容器においては、内容物を使い切った後などにおいて、ユーザーにより、内容物を含むボトル本体をキャップ部に対して付け替えることは困難であった。
なぜなら、この種のボトル容器において、上述したような所期の目的を達成するためには、キャップ部をボトル本体に対して気密状態で装着する必要があるためである。
力が弱い高齢者などのユーザーが付け替えを行った場合、ボトル本体に対するキャップ部の装着が緩くなることなどが考えられる。その場合、キャップ部とボトル本体との間の気密を実現できず、ボトル本体とキャップ部との隙間を介して、内側層の内部領域へ外気が流入してしまう可能性がある。内側層の内部領域へ外気が流入してしまうと、デラミボトルの内部領域の縮小が起こりにくくなり、内容物を最後まで使い切れず残量が多くなってしまう。
【０００７】
本発明は、上記の課題に鑑みなされたものであり、ユーザーがキャップ部に対するボトル本体の付け替えを行った場合にも、キャップ部とボトル本体との間の気密を容易に実現することが可能なボトル容器に関する。
【課題を解決するための手段】
【０００８】
本発明は、
一端部に開口を有するボトル本体と、
前記ボトル本体の前記一端部に対して着脱可能に装着されて前記開口を密閉するキャップ部と、
を備えるボトル容器であって、
前記ボトル本体は、
外側層と、
前記外側層に対して剥離可能に積層されて内容物を収容する内側層と、
を有する積層ボトルであり、
前記キャップ部は、
ユーザーの吐出操作により前記内容物を吐出するポンプ部と、
前記ポンプ部とともに前記開口を閉塞する閉塞部と、
前記ボトル本体の前記一端部の周囲に配置された覆い部と、
を有し、
当該ボトル容器は、
前記キャップ部が前記ボトル本体に対して装着されたときに気密状態を保ち得るように構成されている第１気密部と、
前記キャップ部が前記ボトル本体に対して装着されたときであって且つ前記第１気密部が気密状態となっていないときにも、気密状態を保ち得るように構成されている第２気密部とを有し、
前記第１気密部は、前記ボトル本体の前記一端部と、前記キャップ部の閉塞部とにより構成され、
前記第２気密部は、前記ボトル本体の前記一端部の外周面と、前記覆い部の内周面とにより構成され、且つ前記第１気密部よりも前記ボトル本体の他端部側において前記ボトル本体と前記キャップ部との間の気密を保つボトル容器を提供する。
【０００９】
また、本発明は、
本発明のボトル容器と、
前記内側層の内部領域に収容された内容物と、
を備えるボトル容器詰め商品を提供する。
【発明の効果】
【００１０】
本発明によれば、ユーザーがキャップ部に対するボトル本体の付け替えを行った場合にも、キャップ部とボトル本体との間の気密を容易に実現することが可能である。
【図面の簡単な説明】
【００１１】
【図１】第１の実施形態に係るボトル容器の縦断面図である。
【図２】図１の部分拡大図である。
【図３】第１の実施形態に係るボトル容器を底面側から見上げた斜視図である。
【図４】第１の実施形態に係るボトル容器の底面近傍の縦断面図であり、このうち（ａ）は図３のＡ−Ａ線に沿った断面図、（ｂ）は図３のＢ−Ｂ線に沿った断面図である。
【図５】第１の実施形態に係るボトル容器の開口近傍の部分の縦断面図であり、このうち（ａ）はキャップ部が正常に装着された状態を示し、（ｂ）はキャップ部が緩く装着された状態を示す。
【図６】第２の実施形態に係るボトル容器の部分拡大の縦断面図である。
【図７】第３の実施形態に係るボトル容器の開口近傍の部分の縦断面図であり、このうち（ａ）はキャップ部が正常に装着された状態を示し、（ｂ）はキャップ部が緩く装着された状態を示す。
【図８】第４の実施形態に係るボトル容器の部分拡大の縦断面図である。
【発明を実施するための形態】
【００１２】
以下、本発明の実施形態について、図面を用いて説明する。なお、すべての図面において、同様の構成要素には同一の符号を付し、適宜に説明を省略する。
【００１３】
〔第１の実施形態〕
図１乃至図５を用いて第１の実施形態を説明する。
【００１４】
本実施形態に係るボトル容器１００は、一端部（例えば上端部）に開口１０ｄを有するボトル本体１０と、ボトル本体１０の一端部に対して着脱可能に装着されて開口１０ｄを密閉するキャップ部２０と、を備える。
ボトル本体１０は、外側層１０ａと、外側層１０ａに対して剥離可能に積層されて内容物５０を収容する内側層１０ｂと、を有する積層ボトルである。
キャップ部２０は、ユーザーの吐出操作により内容物５０を吐出するポンプ部３０と、ポンプ部３０とともに開口１０ｄを閉塞する閉塞部２１と、ボトル本体１０の一端部の周囲に配置された覆い部（例えば、内筒２２及び外筒２３）と、を有する。
ボトル容器１００は、キャップ部２０がボトル本体１０に対して装着されたときに気密状態を保ち得るように構成されている第１気密部６１と、キャップ部２０がボトル本体１０に対して装着されたときであって且つ第１気密部６１が気密状態となっていないときにも、気密状態を保ち得るように構成されている第２気密部６２とを有している。
第１気密部６１は、ボトル本体１０の一端部と、キャップ部２０の閉塞部２１とにより構成されている。
第２気密部６２は、ボトル本体１０の一端部の外周面と、覆い部の内周面とにより構成され、且つ第１気密部６１よりもボトル本体１０の他端部（例えば底部１５）側においてボトル本体１０とキャップ部２０との間の気密を保つ。
【００１５】
ボトル本体１０の一端部と、キャップ部２０の閉塞部２１とが、相互に密着することによって、第１気密部６１においてボトル本体１０とキャップ部２０との間の気密が保たれる。
また、ボトル本体１０の一端部の外周面と、覆い部の内周面とが、相互に密着することによって、第２気密部６２においてボトル本体１０とキャップ部２０との間の気密が保たれる。
【００１６】
より具体的には、例えば、第１気密部６１は、ボトル本体１０の一端部の一部分の全周と、キャップ部２０の一部分と、により構成され、それらが相互に密着することによってボトル本体１０とキャップ部２０との間の気密を保つ。
また、第２気密部６２は、ボトル本体１０の一端部の外周面の一部分の全周と、覆い部の内周面の一部分の全周と、により構成され、それらが相互に密着することによってボトル本体１０とキャップ部２０との間の気密を保つ。ここで、ボトル本体１０の一端部の外周面の一部分、並びに、覆い部の内周面の一部分は、何れも、口頸部１３の軸方向における一部分（換言すれば、ボトル本体１０の高さ方向における一部分）を意味する。
本実施形態において、第１気密部６１は、例えば、ボトル本体１０の口頸部１３の先端面１３ｄの全周と、キャップ部２０が有するパッキン２４と、により構成されている。なお、キャップ部２０がパッキン２４の代わりにコンタクトリング（図示略）を有しており、このコンタクトリングが、ボトル本体１０の口頸部１３の先端面１３ｄとともに第１気密部６１を構成していても良い。
また、第２気密部６２は、例えば、ボトル本体１０の肩部１２の第３肩部１２ｃの外周面の全周と、キャップ部２０の内筒２２の内周面に形成された環状リブ２２ａの全周と、により構成されている。ここで、第２気密部６２を構成する第３肩部１２ｃの外周面は、第３肩部１２ｃの外周面のうち、口頸部１３の軸方向における少なくとも一部分である。すなわち、第３肩部１２ｃの外周面のうち、口頸部１３の軸方向における一部分または全体が、第２気密部６２を構成する。また、第２気密部６２を構成する内筒２２の内周面は、内筒２２の内周面のうち、口頸部１３の軸方向における一部分である。
【００１７】
また、本実施形態に係るボトル容器詰め商品は、本実施形態に係るボトル容器１００と、内側層１０ｂの内部領域に収容された内容物５０と、を備える。
【００１８】
以下、詳細に説明する。
【００１９】
図１に示すように、ボトル本体１０は、有底筒状の中空体である。
より具体的には、ボトル本体１０は、例えば、下端が底部１５によって閉塞された筒状の胴部１１と、胴部１１と連通するように胴部１１の上側に連接されている肩部１２と、肩部１２を介して胴部１１と連通するように肩部１２の上側に連接されている円筒状の口頸部１３と、を有している。
ボトル本体１０は、底部１５を水平面上に載置することにより、当該水平面上において自立可能な形態となっている。
【００２０】
口頸部１３の内腔の平断面積よりも、胴部１１の内腔の平断面積の方が大きい。また、肩部１２の内腔の平断面積は、口頸部１３の内腔の平断面積よりも大きく、胴部１１の内腔の平断面積よりも小さい。肩部１２の内腔の平断面積は、例えば、口頸部１３側から胴部１１側に向けて拡大している。
胴部１１は、例えば、その内腔の平断面積が底部１５に向けて若干広がる形状に形成されている。
【００２１】
図２に示すように、口頸部１３は、その上端に位置する先端面１３ｄを有し、先端面１３ｄの内側には開口１０ｄが形成されている。口頸部１３の外周面１３ａには、ねじ山１３ｃが形成されている。これにより、口頸部１３の外周面は雄ねじ部を構成している。すなわち、ボトル本体１０の一端部の外周面に雄ねじ部が形成されている。
【００２２】
肩部１２は、例えば、胴部１１の上側に連接されている第１肩部１２ａと、第１肩部１２ａの上側に連接されている第２肩部１２ｂと、第２肩部１２ｂの上側に連接されているとともに口頸部１３の下側に連接されている第３肩部１２ｃと、を有する。
第３肩部１２ｃは、例えば、口頸部１３よりも大径の円筒状に形成され、且つ、口頸部１３と同軸に配置されている。
第２肩部１２ｂは、第３肩部１２ｃよりも若干大径に形成されている。より具体的には、例えば、第２肩部１２ｂは、内筒２２と同等の外径に形成されている。
第１肩部１２ａの内腔の平断面積は、第２肩部１２ｂ側から胴部１１側に向けて徐々に拡大している。
【００２３】
また、第３肩部１２ｃの外径は、口頸部１３の外径（ねじ山１３ｃを除く円筒状の部分の外径）よりも大きい。第２肩部１２ｂの外径は、第３肩部１２ｃの外径よりも大きい。
また、平面視において、第３肩部１２ｃの外形線に囲まれた領域の面積は、胴部１１の外形線に囲まれた領域の面積よりも小さい。
【００２４】
例えば、ボトル本体１０が水平面上に自立した状態で、口頸部１３の軸心（中心軸）は、水平面に対して直交するようになっている。
そして、口頸部１３の軸心に対して直交する断面積は、胴部１１、肩部１２及び口頸部１３のうち、胴部１１が最も大きく、口頸部１３が最も小さい。
【００２５】
ボトル容器１００は、いわゆるデラミ（デラミネーション）ボトルと呼ばれるものであり、ボトル本体１０が、外側層１０ａ及び内側層１０ｂの少なくとも二層からなる積層ボトルとなっている。
外側層１０ａはボトル容器１００の外面（外壁）を形成している。内側層１０ｂは、例えば、外側層１０ａの内面のほぼ全面に亘って積層されている。
例えば、内側層１０ｂの上端部は、口頸部１３の先端面１３ｄにおいて、全周に亘って外側層１０ａに対して気密に接着されている。これにより、内側層１０ｂと外側層１０ａとの間に形成される空間が内側層１０ｂの内部領域と連通することが抑制されている。
ボトル本体１０は、例えば、二重筒構造のパリソンをブロー成形することにより構成されている。
【００２６】
外側層１０ａ及び内側層１０ｂの材料は特に限定されないが、それぞれ樹脂により構成されていることが好ましい。一例として、外側層１０ａはポリプロピレンとすることができ、内側層１０ｂはナイロンとすることができる。
【００２７】
内容物５０は、液体であり、内側層１０ｂの内部領域に収容されている。
内容物５０の用途は特に限定されない。一例として、内容物５０は、化粧用乳液、美容液、ファンデーションなどの液体化粧料や、洗い流さないトリートメントなどのヘアケア剤であることが挙げられる。また、内容物５０は、調味料などの食品であっても良い。
内容物５０の粘度は特に限定されないが、例えば、３０℃における粘度が１ｍＰａ・ｓ〜５万ｍＰａ・ｓ（Ｂ型粘度計で測定）のものとすることができる。
【００２８】
ユーザーがポンプ部３０に対して吐出操作を行うことにより、内側層１０ｂ内の内容物５０が、ポンプ部３０により吸引され、当該ポンプ部３０を通してボトル容器１００の外部に吐出される。
【００２９】
ここで、外側層１０ａは、内側層１０ｂよりも高剛性に形成されており、内側層１０ｂよりも保形性に優れている。
また、ボトル容器１００は、口頸部１３の開口１０ｄがキャップ部２０により密閉された状態で用いられる。
また、ボトル本体１０には、内側層１０ｂと外側層１０ａとの間に外気を流入させるための流入口（例えば流入スリット１６ａ）が形成されている（詳細は後述）。
これらのため、吐出操作により内側層１０ｂ内の内容物５０がボトル容器１００の外部に吐出されて内側層１０ｂの内部領域が陰圧になると、当該内部領域が縮小し、流入口（流入スリット１６ａ）を介して内側層１０ｂと外側層１０ａとの間に外気が流入するとともに、内側層１０ｂが外側層１０ａから剥離する。
このとき、内側層１０ｂの内部への外気の流入は規制されるため、内容物５０の粘度が高い場合であっても、内容物５０を極力最後まで使い切りやすい。
それと同時に、外側層１０ａの外形形状を維持しつつも内容物５０と外気との接触を抑制することができる。
【００３０】
図３及び図４（ａ）に示すように、例えば、ボトル本体１０の底部１５には、ピンチオフ部１６が形成され、このピンチオフ部１６に流入スリット１６ａが形成されている。
ピンチオフ部１６は、パリソンの端部において外側層１０ａ、内側層１０ｂ、内側層１０ｂ及び外側層１０ａの４層が互いに重なるように、図示しない金型の挟持部によって挟み込んだ状態で、ブロー成形を行うことにより形成された、直線状のリブ状の部分であり、内部領域１４の外方に向けて突出している。
ピンチオフ部１６における内側に位置する内側層１０ｂどうしは相互に気密に接合されている。これにより、ピンチオフ部１６から内側層１０ｂの内部領域への外気の流入が抑制されているとともに、内側層１０ｂの内部領域の液体がピンチオフ部１６から漏出してしまうことも抑制されている。
ただし、ピンチオフ部１６において、内側層１０ｂは、外側層１０ａからは容易に剥離できる。このため、ピンチオフ部１６における内側層１０ｂと外側層１０ａとの境界は、内側層１０ｂと外側層１０ａとの間に外気を流入させるための流入スリット１６ａを構成している。流入スリット１６ａは、例えば、底部１５を径方向に横断するように形成されている。
【００３１】
流入スリット１６ａから内側層１０ｂと外側層１０ａとの間に流入した外気は、底部１５からボトル本体１０の外周側に回り込み、ボトル本体１０の外周側における内側層１０ｂと外側層１０ａとの剥離を進展させる（図４（ａ）参照）。
【００３２】
ここで、内側層１０ｂの内部領域の内容物５０が減少して内側層１０ｂが収縮したときに、内側層１０ｂの下端部が外側層１０ａの下端部から上方に持ち上がってしまうことを抑制できるように、外側層１０ａと内側層１０ｂとは、ボトル本体１０の全周ではなく部分的に、接着層１０ｃを介して相互に接着されている（図３及び図４（ｂ）参照）。
【００３３】
図２に示すように、キャップ部２０の閉塞部２１は、ポンプ部３０とともに開口１０ｄを密閉する。
閉塞部２１は、例えば、平面視環状（所謂ドーナツ状の盤状）に形成されている。閉塞部２１の内径は、開口１０ｄよりも小径に設定され、閉塞部２１の外径は、開口１０ｄよりも大径に設定されている。
ポンプ部３０は、閉塞部２１の中心の穴を貫通する状態で、閉塞部２１に固定されている。
【００３４】
閉塞部２１には、覆い部が固定されている。
覆い部は、例えば、それぞれ筒状に形成された内筒（第１筒状部）２２及び外筒（第２筒状部）２３を有する。外筒２３は、内筒２２よりも大径に形成されて内筒２２の周囲に配置されている。
内筒２２と外筒２３とは、例えば、互いに同軸に配置されている。
内筒２２及び外筒２３は、それぞれの上端が閉塞部２１の下面に接合されている。すなわち、覆い部は、閉塞部２１の下面より垂下している。
【００３５】
内筒２２の内周面には、キャップ部２０を口頸部１３に装着するためのねじ山２２ｂが形成されている。これにより、内筒２２は、内筒２２は雌ねじ部を構成している。
そして、雌ねじ部である内筒２２を雄ねじ部である口頸部１３に対して螺合させる（ねじ山１３ｃとねじ山２２ｂとを螺合させる）ことによって、キャップ部２０をボトル本体１０に対して着脱可能に装着できるようになっている。
このように、覆い部の内筒２２は、ボトル本体１０の一端部の外周面に形成された雄ねじ部に対して螺合する雌ねじ部を有し、雌ねじ部が雄ねじ部に対して螺合することにより、キャップ部２０がボトル本体１０に対して装着される。
また、このように、覆い部は、ボトル本体１０の一端部の口頸部１３に装着される内筒（第１筒状部）２２と、内筒２２よりも大径に形成されて内筒２２の周囲に配置された外筒（第２筒状部）２３と、を有する多重筒（具体的には、例えば、二重筒）である。
【００３６】
閉塞部２１の下面において、内筒２２の内側に位置する部分には、第１気密部６１を構成するパッキン２４が設けられている。パッキン２４は、例えば環状に形成されており、その中心の穴をポンプ部３０が貫通している。
【００３７】
キャップ部２０がボトル本体１０に対して装着されたときには、口頸部１３の先端面１３ｄの全周に亘ってパッキン２４が気密に密着し、第１気密部６１が気密状態となるようになっている。
すなわち、第１気密部６１を構成するボトル本体１０の一端部の一部分は、ボトル本体１０の開口１０ｄ側の端面（先端面１３ｄ）であり、第１気密部６１を構成するキャップ部２０の一部分であるパッキン２４が端面（先端面１３ｄ）に突き当たることにより、第１気密部６１が気密状態となる。
ここで、内側層１０ｂの内部領域の上端は、ボトル本体１０の口頸部１３の先端面１３ｄ、閉塞部２１、パッキン２４及びポンプ部３０により気密に密閉される。
【００３８】
一方、第２気密部６２は、覆い部の内周面の一部分と、ボトル本体１０の一端部の外周面の一部分と、の何れか一方に形成された環状のリブを含む。
本実施形態の場合、第２気密部６２は、内筒２２の内周面に形成された環状リブ２２ａを含む。
すなわち、本実施形態の場合、第２気密部６２を構成する覆い部の内周面の一部分は、内筒（第１筒状部）２２の内周面の一部分である。
環状リブ２２ａは、内筒２２の内周面において、ねじ山２２ｂが形成されている部分よりも下側の部分に形成されている。
環状リブ２２ａは、内筒２２の内周面を一周する連続的な環状のリブである。環状リブ２２ａは、内筒２２の内周面から、内筒２２の径方向における内方に向けて突出している。
環状リブ２２ａの縦断面形状は、例えば、環状リブ２２ａの頂部側が丸みを帯びた形状となっている（図５参照）。
【００３９】
キャップ部２０がボトル本体１０に対して装着されたときには、ボトル本体１０の外周面の全周に亘って（例えば肩部１２における第３肩部１２ｃの、口頸部１３の軸方向における一部分の外周面の全周に亘って）環状リブ２２ａが気密に密着し、第２気密部６２が気密状態となるようになっている。
【００４０】
ここで、パッキン２４が肩部１２の第３肩部１２ｃの全周に亘って気密に密着して第１気密部６１が気密状態となるのは、キャップ部２０がボトル本体１０に対して正常に装着された場合である。
キャップ部２０がボトル本体１０に対して正常に装着されるとは、内筒２２と口頸部１３とが、互いの軸線が一致するとともに十分に深く螺合した状態となることを意味する。
ただし、キャップ部２０は、内筒２２と口頸部１３との螺合が十分には深くない状態（緩い状態）でも、ボトル本体１０に装着された状態となるようになっている。
或いは、内筒２２と口頸部１３との軸線が互いに僅かに傾いた状態でも、キャップ部２０がボトル本体１０に装着された状態となるようになっていても良い。
しかし、これらの不十分な装着状態では、パッキン２４は、口頸部１３の先端面１３ｄの全周に亘って気密に密着した状態とはならないことが想定される。すなわち、不十分な装着状態では、先端面１３ｄの周方向における少なくとも一部分が、パッキン２４に対して気密に密着した状態とはならず、第１気密部６１が気密状態とはならない可能性がある。
すなわち、第１気密部６１は、キャップ部２０がボトル本体１０に対して装着されたときに気密状態を保ち得るように構成されているが、キャップ部２０がボトル本体１０に対して装着されたときに、必ずしも、気密状態を保つ訳ではない。
【００４１】
このような事情に対し、本実施形態に係るボトル容器１００は、不十分な装着状態でもキャップ部２０とボトル本体１０との間の気密を実現できるように、第２気密部６２を備えている。
すなわち、環状リブ２２ａは、不十分な装着状態においてもボトル本体１０の外周面（例えば第３肩部１２ｃの外周面）の一部分の全周に亘って気密に密着し得るようになっている。
つまり、環状リブ２２ａは、キャップ部２０がボトル本体１０に対して装着された状態において、パッキン２４がボトル本体１０の一端部の全周に亘って気密に密着していないときにも、ボトル本体１０の外周面の全周に亘って気密に密着し得る。
換言すれば、第２気密部６２は、キャップ部２０がボトル本体１０に対して装着されたときであって且つ第１気密部６１が気密状態となっていないときにも、気密状態を保ち得るように構成されている。
【００４２】
このことをより好適に実現するため、例えば、口頸部１３の雄ねじ部及び内筒２２の雌ねじ部の軸線方向におけるある程度の範囲において、環状リブ２２ａが口頸部１３の外周面の全周に対して気密に密着した状態に維持されるようになっている。すなわち、雌ねじ部が雄ねじ部に対して第１螺合位置で螺合した状態（例えば図５（ｂ）の状態）から、雌ねじ部が雄ねじ部に対して第１螺合位置よりも深い第２螺合位置で螺合した状態（例えば図５（ａ）の状態）となるまでの間、環状リブ２２ａがボトル本体１０の外周面の全周に亘って気密に密着した状態に維持されることによって、第２気密部６２が気密状態に維持されるようになっている。
そのため、環状リブ２２ａが密着するボトル本体１０の第３肩部１２ｃの外周面は、例えば、一定径の筒状に形成されているか、或いは、下方に向けて拡径するテーパー状に形成されている。すなわち、第２気密部６２を構成するボトル本体１０の一端部の外周面は、ボトル本体１０の他端部側（底部１５側）に向けて拡径するテーパー状に形成されていても良い。
環状リブ２２ａが密着するボトル本体１０の第３肩部１２ｃの外周面が、一定径の筒状に形成されている場合、雄ねじ部と雌ねじ部との螺合の深さが変動しても、環状リブ２２ａをボトル本体１０の第３肩部１２ｃの外周面に対して一定程度の密着力で密着させることができる。
ここで、環状リブ２２ａが密着するボトル本体１０の第３肩部１２ｃの外周面の外径は、環状リブ２２ａの内径よりも若干大きく設定されていても良い。この場合、覆い部（例えば内筒２２）の弾性力（バネ力）によって、環状リブ２２ａをボトル本体１０の第３肩部１２ｃの外周面に対して密着させることができる。
この場合の環状リブ２２ａの内径と第３肩部１２ｃの外径との差は、０．１ｍｍ以上０．７ｍｍ以下であることが好ましく、０．３ｍｍ以上０．６ｍｍ以下であることが更に好ましい。このようにすることにより、口頸部１３の雄ねじ部及び内筒２２の雌ねじ部との螺合の深さを変化させる際に、環状リブ２２ａと第３肩部１２ｃの外周面とを相互に密着した状態で摺り合わせながら相対移動させることができる。また、環状リブ２２ａと第３肩部１２ｃの外周面とをより十分な強さで密着させた状態で、且つ、スムーズに相対移動させることが可能となる。
また、ボトル本体１０の第３肩部１２ｃの外周面が、下方に向けて拡径するテーパー状に形成されている場合、雄ねじ部と雌ねじ部との螺合の深さが深くなるほど、ボトル本体１０の外周面に対して環状リブ２２ａをより強く密着させることができる。
【００４３】
また、環状リブ２２ａが口頸部１３のねじ山１３ｃと干渉することなくキャップ部２０をボトル本体１０に装着できるように、環状リブ２２ａは、ねじ山２２ｂよりも低く形成されている。
すなわち、覆い部の内筒２２の内周面は、筒状に形成された基準面２２ｃと、基準面２２ｃに形成された雌ねじ部のねじ山２２ｂと、基準面２２ｃに形成されて第２気密部６２を構成する環状のリブ２２ａと、を含み、基準面２２ｃからの環状リブ２２ａの突出長は、基準面２２ｃからの雌ねじ部のねじ山２２ｂの突出長よりも小さい。
【００４４】
一方、第３肩部１２ｃの外周面に対して環状リブ２２ａが密着できるように、第３肩部１２ｃの外周面は、ねじ山１３ｃよりも大径に形成されている。
【００４５】
外筒２３は、例えば、小径部２３ａと、小径部２３ａよりも大径に形成されているとともに小径部２３ａの下側に連接されている大径部２３ｂと、を有している。
小径部２３ａと大径部２３ｂとの境界部には、段差部２３ｃが形成されている。
【００４６】
外筒２３は、例えば、内筒２２よりも下側に延出した延出部２３ｄを有している。延出部２３ｄも筒状に形成されている。延出部２３ｄは、例えば、大径部２３ｂの下部により構成されている。
【００４７】
キャップ部２０において、閉塞部２１、内筒２２及び外筒２３を含む部分は、例えば、射出成形によって一体形成されている。これらの部分の材料は、ポリプロピレン、高密度ポリエチレン、ＡＢＳ（Ａｃｒｙｌｏｎｉｔｒｉｌｅ  Ｂｕｔａｄｉｅｎｅ  Ｓｔｙｒｅｎｅ）等であることが好ましい。
【００４８】
ボトル容器１００は、更に、キャップ部２０に対して装着可能な外キャップ部４０を備えている。外キャップ部４０は、下端に開口４０ａを有する筒形状に形成されており、外キャップ部４０の天面は閉塞している。
外筒２３の小径部２３ａが外キャップ部４０の開口４０ａより外キャップ部４０に嵌入するようにして、外キャップ部４０をキャップ部２０に装着することによって、後述する吐出口３１ｂを有する被押圧部材３１等をボトル容器１００の外部から遮蔽した状態にできる。
外キャップ部４０をキャップ部２０に装着した状態においては、外キャップ部４０の下端が外筒２３の段差部２３ｃに突き当たるようになっている。
【００４９】
ボトル容器１００からの内容物５０の吐出は、外キャップ部４０をキャップ部２０から取り外した状態で、ポンプ部３０に対して吐出操作を行うことによってなされる。
ポンプ部３０は、吐出操作に応じて内容物５０をボトル容器１００の外部に吐出できる構造のものであれば、どのような構造のものであっても良い。
以下、ポンプ部３０の具体的構造の一例を説明する。
【００５０】
図２に示すように、ポンプ部３０は、例えば、被押圧部材３１、連結部材３２、ピストン３３、ポンプ筒体３４、第１コイルスプリング３５、吸入弁部材３６、第２コイルスプリング３７、ボール状吐出弁部材３８及び吸引管３９を有している。
【００５１】
被押圧部材３１は、ユーザーに押圧操作される部分である。被押圧部材３１には、吐出口３１ｂが形成されているとともに、当該非押圧部材３１は、連結部材３２を保持するための固定穴が形成された保持部３１ａを有する。更に、被押圧部材３１には、固定穴の上方に連接された吐出路が形成されており、この吐出路は固定穴と吐出口３１ｂとを相互に連通させている。
吐出路における上端の突き当たり部分の下面には、ボール状吐出弁部材３８が突き当たる突起状のボールストッパ部３１ｃが形成されている。
【００５２】
連結部材３２は、筒状に形成されている。連結部材３２の上端部は被押圧部材３１の保持部３１ａに形成された固定穴に差し込み固定されている。
連結部材３２は、被押圧部材３１に対する押圧操作に伴い、被押圧部材３１と一体的に移動する。
連結部材３２の下端部は、閉塞部２１の中央に形成されたガイド孔２１ｂに差し込まれて、該ガイド孔２１ｂにより保持されている。これにより、連結部材３２は、ガイド孔２１ｂに対して上下に摺動可能となっている。ただし、連結部材３２は、ガイド孔２１ｂより上方への脱落が規制されている（抜け止めされている）。
連結部材３２の内周面には、ボール状吐出弁部材３８とともに吐出弁を構成する吐出弁座３２ａが形成されている。吐出弁座３２ａの上面側にボール状吐出弁部材３８が密着した状態は、吐出弁が閉じた状態であり、ボール状吐出弁部材３８が吐出弁座３２ａから離間した状態は、吐出弁が開いた状態である。
【００５３】
ピストン３３は、筒状に形成されている。
ピストン３３は、その上端部が連結部材３２の下端部内に差し込み固定されている。このため、ピストン３３は、連結部材３２と一体的に上下動する。
ピストン３３の下端部は拡張部３３ａとなっている。拡張部３３ａは、ピストン３３における拡張部３３ａより上側の部分よりも、径方向における外側に拡張した形状となっている。
ピストン３３は、拡張部３３ａを含む下部が、ポンプ筒体３４の上方からポンプ筒体３４内に挿入されている。拡張部３３ａは、その外周面がポンプ筒体３４の内周面に対して液密に密着した状態で、ポンプ筒体３４に対して上下に摺動可能となっている。
【００５４】
ポンプ筒体３４は、筒状に形成され、閉塞部２１の中央部に形成された保持スリット２１ａに固定されている。保持スリット２１ａは、下向きに開口した円筒状のスリットであり、保持スリット２１ａにポンプ筒体３４の上端部が差し込み固定されることによって、ポンプ筒体３４が閉塞部２１に固定されている。ポンプ筒体３４はパッキン２４を上下に貫通している。
ポンプ筒体３４の下端部には、バネ受部３４ａと、吸入弁座３４ｂと、管保持部３４ｃと、が形成されている。
バネ受部３４ａは、ポンプ筒体３４の下端部が部分的に縮径することにより形成され、第１コイルスプリング３５の下端を受ける上面を有している。この上面は、吸入弁座３４ｂの筒状に形成された下部、及び、ポンプ筒体３４の周壁部とともに、第１コイルスプリング３５の下端部を受け容れる凹部を構成している。なお、バネ受部３４ａには、バネ受部３４ａを上下に貫通する貫通孔が形成されており、吸入弁部材３６の下部が当該貫通孔に挿通されている。吸入弁が開いた際には当該貫通孔を介して内容物５０が吸引管３９側からポンプ室３０ａ内に流入するようになっている。
吸入弁座３４ｂは、吸入弁部材３６とともに吸入弁を構成するものであり、バネ受部３４ａより上方に起立した筒状に形成され、且つ、その上面には吸入弁部材３６が密着する座面が形成されている。なお、吸入弁座３４ｂの上端部の下面は、第２コイルスプリング３７の上端を受けるバネ受部を構成している。
管保持部３４ｃは、吸引管３９を保持するものであり、バネ受部３４ａより垂下する筒状に形成されている。
【００５５】
第１コイルスプリング３５は、ポンプ筒体３４のバネ受部３４ａの上面と拡張部３３ａの下面との間において、圧縮状態で保持されている。このため、第１コイルスプリング３５は、ピストン３３を上方に付勢している。
ユーザーが被押圧部材３１を下方に押圧操作すると、第１コイルスプリング３５の付勢に抗して、被押圧部材３１、連結部材３２及びピストン３３が一体的に下降する。
ユーザーが被押圧部材３１に対する押圧操作を解除すると、第１コイルスプリング３５の付勢に従って、被押圧部材３１、連結部材３２及びピストン３３が一体的に上昇し、被押圧部材３１、連結部材３２及びピストン３３は図２に示される位置に復帰する。
【００５６】
吸入弁部材３６は、ポンプ筒体３４の吸入弁座３４ｂとともに吸入弁を構成するものである。
図２には吸入弁部材３６が吸入弁座３４ｂの上面の座面に密着することにより吸入弁が閉じた状態を示している。この状態では、吸入弁部材３６は、吸入弁座３４ｂ及びバネ受部３４ａを貫通し、且つ、吸入弁部材３６の下端部が管保持部３４ｃの内部に位置するようになっている。
吸入弁部材３６の下端部には、第２コイルスプリング３７の下端を受けるバネ受部３６ａが形成されている。
【００５７】
第２コイルスプリング３７は、吸入弁部材３６のバネ受部３６ａと吸入弁座３４ｂのバネ受部との間において、圧縮状態で保持されている。このため、第２コイルスプリング３７は、吸入弁部材３６を吸入弁座３４ｂの座面に密着させるべく、吸入弁部材３６を下方に付勢している。
【００５８】
ボール状吐出弁部材３８は、連結部材３２の吐出弁座３２ａとともに吐出弁を構成するものであり、球状に形成されている。
【００５９】
吸引管３９は、管状に形成されており、その上端部にポンプ筒体３４の管保持部３４ｃが差し込み固定されることによって、ポンプ筒体３４により保持されている。
なお、ポンプ筒体３４の下端部は開口しており、その開口を介して、吸引管３９とポンプ筒体３４とが相互に連通できるようになっている。ただし、ポンプ筒体３４の下端部の開口は、吸入弁により開閉されるようになっている。
【００６０】
ここで、連結部材３２の内部領域のうち吐出弁座３２ａよりも下側の領域と、ピストン３３の内部領域と、ポンプ筒体３４の内部領域のうちピストン３３の拡張部３３ａよりも下側の領域と、を合わせた領域をポンプ室３０ａと称する。
被押圧部材３１を下方に押圧操作した後、その押圧操作を解除すると、第１コイルスプリング３５の付勢に従って拡張部３３ａが上昇するため、ポンプ室３０ａは拡大するとともに負圧となる。すると、第２コイルスプリング３７の付勢に抗して吸入弁部材３６が上方に浮き上がり、吸引弁が開く。これにより、吸引管３９とポンプ室３０ａとが吸入弁を介して相互に連通するので、ボトル本体１０内の内容物５０が、吸引管３９及び吸引弁を介してポンプ室３０ａに吸引される。
また、ポンプ室３０ａに内容物５０が充填された状態で、被押圧部材３１を押圧操作すると、ポンプ室３０ａ内の内容物５０が加圧される。このとき、吸入弁部材３６は第２コイルスプリング３７の付勢に従って下方に移動して吸入弁座３４ｂの座面に着座した状態となるので、吸引弁が閉じた状態となる。一方、ボール状吐出弁部材３８はポンプ室３０ａ内の内容物５０により押されて上方に移動するため、吐出弁は開く。よって、ポンプ室３０ａ内の内容物５０は、連結部材３２における吐出弁座３２ａよりも上側の領域と、被押圧部材３１内の吐出路と、吐出口３１ｂと、をこの順に介して、被押圧部材３１の外部、すなわちボトル容器１００の外部に吐出される。
【００６１】
以上のような第１の実施形態によれば、ボトル容器１００は、一端部（例えば上端部）に開口１０ｄを有するボトル本体１０と、ボトル本体１０の一端部に対して着脱可能に装着されて開口１０ｄを密閉するキャップ部２０と、を備える。
ボトル本体１０は、外側層１０ａと、外側層１０ａに対して剥離可能に積層されて内容物５０を収容する内側層１０ｂと、を有する積層ボトルである。
キャップ部２０は、ユーザーの吐出操作により内容物５０を吐出するポンプ部３０と、ポンプ部３０とともに開口１０ｄを閉塞する閉塞部２１と、ボトル本体１０の一端部の周囲に配置された覆い部（内筒２２及び外筒２３）と、を有する。
ボトル容器１００は、キャップ部２０がボトル本体１０に対して装着されたときに気密状態を保ち得るように構成されている第１気密部６１と、キャップ部２０がボトル本体１０に対して装着されたときであって且つ第１気密部６１が気密状態となっていないときにも、気密状態を保ち得るように構成されている第２気密部６２とを有している。
第１気密部６１は、ボトル本体１０の一端部と、キャップ部２０の閉塞部２１とにより構成されている。
第２気密部６２は、ボトル本体１０の一端部の外周面と、覆い部の内周面とにより構成され、且つ第１気密部６１よりもボトル本体１０の他端部（例えば底部１５）側においてボトル本体１０とキャップ部２０との間の気密を保つ。
よって、ユーザーがキャップ部２０に対するボトル本体１０の付け替えを行った場合にも、キャップ部２０とボトル本体１０との間の気密を容易に実現することが可能である。
【００６２】
したがって、内容物５０を使い切った後に、空のボトル本体１０を使い捨てにする一方で、内容物５０が充填されている新しいボトル本体１０にキャップ部２０を装着することにより、ポンプ部３０を含むキャップ部２０を再利用することができる。
【００６３】
また、第２気密部６２は、覆い部の内周面に形成された環状のリブ（例えば、覆い部の内周面のうち、口頸部１３の軸方向における一部分に形成された環状リブ２２ａ）を含む。これにより、ボトル容器１００に簡単な構造（環状のリブ）を付加するだけで、第２気密部６２における気密を実現することができる。また、第２気密部６２におけるより十分な気密を容易に実現することができる。
【００６４】
また、覆い部は、ボトル本体１０の一端部に装着される内筒２２と、内筒２２よりも大径に形成されて内筒２２の周囲に配置された外筒２３と、を有する多重筒（例えば二重筒）である。よって、内筒２２よりも大径の外筒２３を把持してキャップ部２０の装着や取り外しを行うことによって、容易により大きな力（回転トルク等）をキャップ部２０に付与することができるため、キャップ部２０の装着及び取り外しをより軽い力で行うことができる。
力が弱い高齢者などのユーザーがキャップ部２０の装着を行う場合、パッキン２４による気密を実現するほどには十分にキャップ部２０を装着できない場合であっても、環状リブ２２ａによる気密を実現できる程度の十分さでは、容易にキャップ部２０を装着することが可能となる。
更に、外筒２３を把持してキャップ部２０の装着や取り外しを行うことにより、内筒２２には手からの力が直接作用しないようにできるため、内筒２２と、ボトル本体１０において内筒２２が装着される部分と、の劣化等を抑制できる。特に、キャップ部２０をボトル本体１０に螺合させて装着する場合は、雄ねじ部及び雌ねじ部に作用する径方向の力を低減できるため、雄ねじ部及び雌ねじ部のねじ山１３ｃ、２２ｂの摩耗を抑制することができる。
加えて、外筒２３及びボトル本体１０に一体感のある装飾を施すことが可能となり、ボトル容器１００の美観を向上させることができる。
また、外筒２３は、内筒２２よりもボトル本体１０の開口１０ｄから遠いため、外筒２３を把持してキャップ部２０の付け替えを行う際に、手が汚れにくいという利点もある。
【００６５】
また、第２気密部６２を構成する覆い部の内周面は、内筒２２の内周面である。すなわち、環状リブ２２ａは、内筒２２の内周面に形成されている。
仮に、内筒２２と外筒２３との厚みが同じである場合、より小径の内筒２２の方が、弾性変形による変位量を抑制できる。このため、ボトル本体１０の外周面に対する環状リブ２２ａのタイトな密着状態をより好適に実現しやすい。
【００６６】
また、第２気密部６２を構成するボトル本体１０の一端部の外周面（例えば、第３肩部１２ｃの外周面）は、ボトル本体１０の他端部側に向けて拡径するテーパー状に形成することができる。この場合、口頸部１３の雄ねじ部及び内筒２２の雌ねじ部との螺合の深さが深くなるほど、ボトル本体１０の外周面に対して環状リブ２２ａをより強く密着するので、第２気密部６２におけるより十分な気密を実現することができる。
【００６７】
また、覆い部の内筒２２は、ボトル本体１０に形成された雄ねじ部に対して螺合する雌ねじ部を有し、雌ねじ部が雄ねじ部に対して螺合することにより、キャップ部２０がボトル本体１０に対して装着される。
よって、雌ねじ部と雄ねじ部とを十分な深さで螺合させるだけで、環状リブ２２ａをボトル本体１０の外周面の全周に亘って気密に密着させることができる。
【００６８】
また、覆い部の内筒２２の内周面は、筒状に形成された基準面２２ｃと、基準面２２ｃに形成された雌ねじ部のねじ山２２ｂと、基準面２２ｃに形成されて第２気密部６２を構成する環状のリブ（環状リブ２２ａ）と、を含み、基準面２２ｃからのリブ（環状リブ２２ａ）の突出長は、基準面２２ｃからのねじ山２２ｂの突出長よりも小さい。
よって、環状リブ２２ａが口頸部１３のねじ山１３ｃと干渉することを抑制しつつ、キャップ部２０をボトル本体１０に装着することができる。
【００６９】
また、ボトル本体１０は、開口１０ｄを有するとともにキャップ部２０が装着される口頸部１３と、口頸部１３よりも他端部（底部１５部）側に配置されているとともに、口頸部１３の雄ねじ部のねじ山１３ｃと同径であるか又は当該ねじ山１３ｃよりも大径に形成された外周面を有する中間部（肩部１２）と、中間部よりも他端部側に配置されているとともに口頸部１３の軸心に対して直交する断面積が中間部よりも大きい胴部１１と、を備えている。
そして、第２気密部６２を構成するボトル本体１０の一端部の外周面は、中間部の外周面（例えば、第３肩部１２ｃの外周面）である。
このような構造とすることにより、ボトル本体１０の口頸部１３に対して螺合させることによってキャップ部２０を装着する構成において、口頸部１３の先端面１３ｄよりも底部１５側において第２気密部６２による気密を図る構造を容易に実現することが可能となる。すなわち、環状リブ２２ａと口頸部１３のねじ山１３ｃとの干渉することを抑制するために、リブ（環状リブ２２ａ）の突出長をねじ山２２ｂの突出長よりも小さくしても、口頸部１３の先端面１３ｄよりも底部１５側において第２気密部６２による気密を容易に実現することができる。
【００７０】
また、雌ねじ部が雄ねじ部に対して第１螺合位置で螺合した状態から、雌ねじ部が雄ねじ部に対して第１螺合位置よりも深い第２螺合位置で螺合した状態となるまでの間、第２気密部６２が気密状態に維持される。
すなわち、雄ねじ部及び雌ねじ部の軸線方向におけるある程度の範囲において、環状リブ２２ａがボトル本体１０の外周面の全周に対して気密に密着した状態に維持させることができる。
このため、ボトル本体１０に対するキャップ部２０の装着が緩い場合であっても、キャップ部２０とボトル本体１０との間の気密を実現することが可能である。
【００７１】
なお、キャップ部２０において、閉塞部２１、内筒２２及び外筒２３を含む部分は、例えば、射出成形によって一体形成されている。このため、キャップ部２０は、ブロー成形により作製されるボトル本体１０よりも、寸法精度良く作製することができる。
この場合に、ボトル本体１０側ではなくキャップ部２０側に、環状リブ２２ａを形成することにより、環状リブ２２ａの寸法精度を良好なものとすることができる。よって、キャップ部２０の環状リブ２２ａとボトル本体１０の外周面との所望の気密状態を容易に得ることができる。
【００７２】
〔第２の実施形態〕
以下、図６を用いて第２の実施形態を説明する。
本実施形態に係るボトル容器１００は、以下に説明する点で、上記の第１の実施形態に係るボトル容器１００と相違し、その他の点では、上記の第１の実施形態に係るボトル容器１００と同様に構成されている。
【００７３】
本実施形態の場合、キャップ部２０の第１筒状部である内筒２２には環状リブ２２ａが形成されていない。その代わりに、第２筒状部である外筒２３の延出部２３ｄの内周面に環状リブ（第２気密部）２３ｅが形成されている。環状リブ２３ｅの縦断面形状は、環状リブ２２ａの縦断面形状と同様である。
【００７４】
ボトル本体１０の口頸部１３は、例えば、一定の径に形成されている。すなわち、口頸部１３の外周面１３ａの径は、例えば、一定となっている。また、第２肩部１２ｂの外径（外周面１２ｄの径）は、例えば、外筒２３の大径部２３ｂの内径とほぼ等しく設定されている。
【００７５】
本実施形態の場合、第２気密部６２は、環状リブ２３ｅと、第２肩部１２ｂの外周面１２ｄの全周とにより構成されている。すなわち、第２気密部６２を構成する覆い部の内周面は、外筒（第２筒状部）２３の内周面である。なお、第２気密部６２を構成するのは、第２肩部１２ｂの外周面１２ｄのうち、口頸部１３の軸方向における少なくとも一部分である。すなわち、第２肩部１２ｂの外周面１２ｄのうち、口頸部１３の軸方向における一部分または全体が、第２気密部６２を構成する。
また、第２気密部６２を構成する覆い部の内周面は、延出部２３ｄの内周面である。より具体的には、延出部２３ｄの内周面のうち、口頸部１３の軸方向における一部分に形成された環状リブ２３ｅが、第２気密部６２を構成している。
【００７６】
本実施形態の場合、キャップ部２０がボトル本体１０に対して装着された状態において、第１気密部６１においてパッキン２４がボトル本体１０の口頸部１３の先端面１３ｄに対して気密に密着していないときにも、第２気密部６２においてボトル本体１０の第２肩部１２ｂの外周面のうち、口頸部１３の軸方向における一部分の全周に亘って環状リブ２３ｅが気密に密着し得るようになっている。
【００７７】
本実施形態によれば、上記の第１の実施形態と同様の効果が得られる他、以下の効果が得られる。
【００７８】
第２気密部６２を構成する覆い部の内周面は、外筒（第２筒状部）２３の内周面（例えば環状リブ２３ｅ）である。
仮に、内筒２２と外筒２３との厚みが同じである場合、より大径の外筒２３の方が、弾性変形による変位量を大きくすることができる。このため、第２気密部６２を構成する覆い部の内周面の内径（例えば環状リブ２３ｅの内径）が、第２気密部６２を構成するボトル本体１０の一端部の外周面の外径（例えば第２肩部１２ｂの外周面１２ｄの外径）よりも小さい場合に、より軽い力で、第２気密部６２におけるボトル本体１０とキャップ部２０との密着状態を実現することができ、且つ、第２気密部６２におけるボトル本体１０とキャップ部２０との弾性的な密着を容易に実現することができる。
特に、第２気密部６２を構成するボトル本体１０の一端部の外周面（例えば第２肩部１２ｂの外周面１２ｄ）が底部１５側に向けて拡径するテーパー状に形成されている場合、第２気密部６２におけるボトル本体１０とキャップ部２０とのよりタイトな密着状態も容易に実現することができる。
【００７９】
また、外筒２３は、内筒２２よりもボトル本体１０の他端部側（下側）に延出した延出部２３ｄを有し、第２気密部６２を構成する覆い部の内周面は、延出部２３ｄの内周面（例えば環状リブ２３ｅ）である。
外筒２３は、その上端が閉塞部２１に固定（拘束）されている一方で、下端側すなわち延出部２３ｄ側は、拘束されていない自由端となっている。このため、外筒２３は、延出部２３ｄ側の部分ほど、より容易に弾性変形することができる。
よって、第２気密部６２を構成する覆い部の内周面の内径（例えば環状リブ２３ｅの内径）が、第２気密部６２を構成するボトル本体１０の一端部の外周面の外径（例えば第２肩部１２ｂの外周面１２ｄの外径）よりも小さい場合に、より軽い力で、第２気密部６２におけるボトル本体１０とキャップ部２０との密着状態を実現することができ、且つ、第２気密部６２におけるボトル本体１０とキャップ部２０との弾性的な密着を容易に実現することができる。
【００８０】
〔第３の実施形態〕
以下、図７を用いて第３の実施形態を説明する。
本実施形態に係るボトル容器１００は、以下に説明する点で、上記の第１の実施形態に係るボトル容器１００と相違し、その他の点では、上記の第１の実施形態に係るボトル容器１００と同様に構成されている。
【００８１】
本実施形態の場合、キャップ部２０の第１筒状部である内筒２２には環状リブ２２ａが形成されていない。その代わりに、ボトル本体１０の肩部１２の第３肩部１２ｃの外周面に環状リブ１２ｅが形成されている。環状リブ１２ｅは、ボトル本体１０の肩部１２の第３肩部１２ｃの外周面から、径方向における外方に向けて突出している。
【００８２】
本実施形態の場合、第２気密部６２は、環状リブ１２ｅと、内筒２２の内周面の全周と、により構成されている。
すなわち、本実施形態の場合、第２気密部６２は、ボトル本体１０の一端部の外周面のうち、口頸部１３の軸方向における一部分に形成された環状のリブ（環状リブ１２ｅ）を含む。
なお、第２気密部６２を構成する覆い部の内周面は、内筒２２の内周面のうち、口頸部１３の軸方向における一部分である。
【００８３】
図７（ｂ）に示すように、キャップ部２０がボトル本体１０に対して装着された状態において、パッキン２４がボトル本体１０の口頸部１３の先端面１３ｄに対して気密に密着していないときにも、ボトル本体１０の肩部１２の第３肩部１２ｃの外周面に形成された環状リブ１２ｅの全周に亘って、内筒２２の内周面が気密に密着することにより、第２気密部６２が気密状態となり得るようになっている。
【００８４】
このような本実施形態によっても、上記の第１の実施形態と同様の効果が得られる。
【００８５】
〔第４の実施形態〕
以下、図８を用いて第４の実施形態を説明する。
本実施形態に係るボトル容器１００は、以下に説明する点で、上記の第２の実施形態に係るボトル容器１００と相違し、その他の点では、上記の第２の実施形態に係るボトル容器１００と同様に構成されている。
【００８６】
本実施形態の場合、キャップ部２０の第２筒状部である外筒２３には環状リブ２３ｅが形成されていない。その代わりに、ボトル本体１０の第２肩部１２ｂの外周面１２ｄに環状リブ１２ｆが形成されている。環状リブ１２ｆは、ボトル本体１０の第２肩部１２ｂの外周面１２ｄから、径方向における外方に向けて突出している。
【００８７】
キャップ部２０がボトル本体１０に対して装着された状態において、パッキン２４がボトル本体１０の口頸部１３の先端面１３ｄに対して気密に密着していないときにも、ボトル本体１０の第２肩部１２ｂの外周面１２ｄに形成された環状リブ１２ｆの全周に亘って、外筒２３の延出部２３ｄの内周面が気密に密着することにより、第２気密部６２が気密状態となり得るようになっている。
【００８８】
本実施形態によっても、上記の第２の実施形態と同様の効果が得られる。
【符号の説明】
【００８９】
１０ ボトル本体
１０ａ 外側層
１０ｂ 内側層
１０ｃ 接着層
１０ｄ 開口
１１ 胴部
１２ 肩部
１２ａ 第１肩部
１２ｂ 第２肩部
１２ｃ 第３肩部（第２気密部）
１２ｄ 外周面（第２気密部）
１２ｅ 環状リブ
１２ｆ 環状リブ（第２気密部）
１３ 口頸部
１３ａ 外周面
１３ｃ ねじ山
１３ｄ 先端面（開口側の端面：第１気密部）
１３ｅ 環状リブ
１３ｆ 環状リブ
１４ 内部領域
１５ 底部
１６ ピンチオフ部
１６ａ 流入スリット
２０ キャップ部
２１ 閉塞部
２１ａ 保持スリット
２１ｂ ガイド孔
２２ 内筒（第１筒状部）
２２ａ  環状リブ（第２気密部）
２２ｂ ねじ山
２２ｃ 基準面
２３ 外筒（第２筒状部）
２３ａ 小径部
２３ｂ 大径部
２３ｃ 段差部
２３ｄ 延出部
２３ｅ 環状リブ（第２気密部）
２４ パッキン（第１気密部）
３０ ポンプ部
３０ａ ポンプ室
３１ 被押圧部材
３１ａ 保持部
３１ｂ 吐出口
３１ｃ ボールストッパ部
３２ 連結部材
３２ａ 吐出弁座
３３ ピストン
３３ａ 拡張部
３４ ポンプ筒体
３４ａ バネ受部
３４ｂ 吸入弁座
３４ｃ 管保持部
３５ 第１コイルスプリング
３６ 吸入弁部材
３６ａ バネ受部
３７ 第２コイルスプリング
３８ ボール状吐出弁部材
３９ 吸引管
４０ 外キャップ部
４０ａ 開口
５０ 内容物
６１ 第１気密部
６２ 第２気密部
１００ ボトル容器
【図１】
0006454532.tif 000002
【図２】
0006454532.tif 000003
【図３】
0006454532.tif 000004
【図４】
0006454532.tif 000005
【図５】
0006454532.tif 000006
【図６】
0006454532.tif 000007
【図７】
0006454532.tif 000008
【図８】
0006454532.tif 000009